(57)【要約】磁力作動の施錠装置と、磁力作動の施錠装置を有するセキュリティ装置のためのシステム及び装置を開示する。
2008523510.tif 000002
【特許請求の範囲】
【請求項１】
物品にセキュリティ装置を固定する施錠装置であって：
磁力作動のラッチと；
前記磁力作動のラッチをロック位置へ付勢するフレキシブル・エレメントと；
前記磁力作動のラッチが前記ロック位置にあるときに前記磁力作動のラッチに噛み合わせるラッチはめ込み要素と；
を含んでなる施錠装置。
【請求項２】
請求項１の施錠装置であって、前記フレキシブル・エレメントは発泡材を含む施錠装置。
【請求項３】
請求項１の施錠装置であって、前記フレキシブル・エレメントはスプリングを含む施錠装置。
【請求項４】
請求項１の施錠装置であって、前記フレキシブル・エレメントはゴムを含む施錠装置。
【請求項５】
請求項１の施錠装置であって、前記フレキシブル・エレメントと前記磁力作動のラッチは一体的に形成されている施錠装置。
【請求項６】
請求項１のセキュリティ装置であって、再使用可能であるセキュリティ装置。
【請求項７】
請求項１のセキュリティ装置であって、１回使用のものであるセキュリティ装置。
【請求項８】
請求項１のセキュリティ装置であって、リセット可能であるセキュリティ装置。
【請求項９】
請求項１の施錠装置であって、前記磁力作動のラッチは磁力によって前記ロック位置から離間するように移動される施錠装置。
【請求項１０】
請求項９の施錠装置であって、前記磁力作動のラッチは実質的に直線方向に移動される施錠装置。
【請求項１１】
請求項９の施錠装置であって、前記磁力作動のラッチが実質的に回転方向に移動される施錠装置。
【請求項１２】
請求項９の施錠装置であって、前記磁力作動のラッチは回転方向と直線方向を組合せた方向に移動される施錠装置。
【請求項１３】
請求項１の施錠装置であって、前記ラッチはめ込み要素が空隙を含み、前記磁力作動のラッチは、前記ロック位置にあるとき、前記空隙に少なくとも部分的に配置される施錠装置。
【請求項１４】
請求項１の施錠装置であって、前記磁力作動のラッチが少なくとも１つの歯を含み、前記ラッチはめ込み要素は、前記ロック位置において前記少なくとも１つの歯に係合することによって、前記磁力作動のラッチと噛み合う施錠装置。
【請求項１５】
請求項１３の施錠装置であって、前記ラッチはめ込み要素が少なくとも１つのリブを含み、前記ラッチはめ込み要素は前記少なくとも１つのリブに係合する施錠装置。
【請求項１６】
ハウジングと；
前記ハウジングによって少なくとも部分的に囲まれ、フレキシブル・エレメントと、ラッチはめ込み要素と、前記フレキシブル・エレメントと前記ラッチはめ込み要素の間に配設された磁力作動のラッチを含む施錠装置と；
を含んでなる物品のセキュリティ装置。
【請求項１７】
請求項１６のセキュリティ装置であって、前記ハウジングに取り付けられたセキュリティタグを含むセキュリティ装置。
【請求項１８】
請求項１６のセキュリティ装置であって、前記ラッチはめ込み要素は前記ハウジングに一体化されているセキュリティ装置。
【請求項１９】
請求項１６のセキュリティ装置であって、前記セキュリティタグはＥＡＳタグであるセキュリティ装置。
【請求項２０】
請求項１９のセキュリティ装置であって、前記ＥＡＳタグは無線周波タグであるセキュリティ装置。
【請求項２１】
請求項１９のセキュリティ装置であって、前記ＥＡＳタグは音響磁気式タグであるセキュリティ装置。
【請求項２２】
請求項１６のセキュリティ装置であって、前記セキュリティタグはＲＦｌＤタグであるセキュリティ装置。
【請求項２３】
請求項１６のセキュリティ装置であって、前記ハウジングは、前記磁力作動のラッチが前記ロック位置にあるとき、前記物品を前記ハウジングに固定するセキュリティ装置。
【請求項２４】
請求項２３のセキュリティ装置であって、前記ハウジングは、前記物品の少なくとも一部を囲むことによって、前記物品を該ハウジングに固定するセキュリティ装置。
【請求項２５】
請求項２３のセキュリティ装置であって、前記ハウジングは、前記物品を囲むことによって、前記物品を該ハウジングに固定するセキュリティ装置。
【請求項２６】
請求項２３のセキュリティ装置であって、前記ハウジングは、前記物品とインターロック係合することによって、前記物品を該ハウジングに固定するセキュリティ装置。
【請求項２７】
請求項１６のセキュリティ装置であって、前記ハウジングは、前記セキュリティタグを囲むことによって、前記セキュリティタグを前記ハウジングに固定するセキュリティ装置。
【請求項２８】
請求項１６のセキュリティ装置であって、前記ハウジングは、前記施錠装置を囲むことによって、該施錠装置を前記ハウジングに固定するセキュリティ装置。
【請求項２９】
請求項１６のセキュリティ装置であって、前記ハウジングがチャンネルを含み、前記磁力作動のラッチとフレキシブル・エレメントは前記チャンネル内で隣接して配設されるセキュリティ装置。
【請求項３０】
請求項２９のセキュリティ装置であって、前記チャンネルは前記磁力作動のラッチの動きを実質的に直線方向に制限するセキュリティ装置。
【請求項３１】
請求項２９のセキュリティ装置であって、前記施錠装置は、前記磁力作動のラッチが所定位置に位置して前記ハウジングをロックするとき、前記磁力作動のラッチと噛み合うラッチはめ込み要素をさらに含むセキュリティ装置。
【請求項３２】
請求項３１のセキュリティ装置であって、前記磁力作動のラッチは前記フレキシブル・エレメントと前記ラッチはめ込み要素の間に配設されているセキュリティ装置。
【請求項３３】
施錠装置を含むセキュリティ装置と；
磁力によってセキュリティ装置をアンロックする分離器と；
を含んでなるセキュリティ装置システム。
【請求項３４】
ハウジングと、該ハウジング内に配設された施錠装置とを含むセキュリティ装置であって、前記ハウジングと前記施錠装置は、
前記ハウジングを物品にロックするように協働するセキュリティ装置と；
磁力によって前記ハウジングを前記物品からアンロックする磁石を含む分離器と；
を含んでなるセキュリティ装置システム。
【請求項３５】
請求項３４のセキュリティ装置システムであって、セキュリティ装置はさらにセキュリティタグを含むセキュリティ装置システム。
【請求項３６】
請求項３４のセキュリティ装置システムであって、施錠装置が磁力作動のラッチを含み、該磁力は前記磁力作動のラッチを移動させることによって、ハウジングをアンロックするセキュリティ装置システム。
【発明の詳細な説明】
【技術分野】
【０００１】
本願は、２００４年１２月７日出願の米国仮特許出願第６０／６３３，８１３号、発明の名称「改良型ＥＡＳセキュリティタグ」と、２００５年５月２３日出願の米国仮特許出願第６０／６８３，６５７号、発明の名称「改良型ＥＡＳセキュリティタグ」の優先権を請求する。これらの両出願の全内容は参照のためにここに取り入れられる。
【０００２】
関連出願
米国を指定するこの国際出願は米国を指定する以下の出願に関連する：
（１）「磁力作動の施錠装置を有する光ディスクセキュリティ装置」；
（２）「拘束された細長い要素を有する物品のためのセキュリティ装置」；
（３）「ケーブルを有するセキュリティ装置の有するセキュリティ装置」；及び
（４）「ボトルのためのセキュリティ装置」
これらの関連出願は、本願とともに同時出願されたものであり、その全内容は参照のためにここに取り入れられる。
【背景技術】
【０００３】
セキュリティタグシステムは、管理区域から権限なく物品を取り去ることを防止するために設計される。例えば、典型的な電子物品監視（ＥＡＳ）システムは監視システムと１つ以上のセキュリティタグを含むであろう。監視システムは管理区域のアクセスポイントに監視ゾーンを創成する。セキュリティタグは、例えば、スポーツ用具、アイウェア、宝石、ボトル等の硬質商品の物品に取り付けられるセキュリティ装置内に設けられる。監視されている物品が監視ゾーンに入ると、警報が発せられ、権限のない取り去りを示す。
【０００４】
セキュリティ装置は多くの異なる物品に取り付けられる。セキュリティ装置は、物品からの権限ある取り外しを可能にするが、権限のない取り外しを比較的難しくすることが望ましい。そのため、一般に、セキュリティ装置の技術改善、特に、セキュリティ装置を物品に取り付けるシステムが必要とされる。
【発明の開示】
【０００５】
実施の形態の内容は、特に指摘されて、結論部で明瞭に請求される。しかしながら、構成と操作法の両方に関する実施の形態は、添付図面と共に以下の詳細な説明を読むことにより最も良く理解されるだろう。
【０００６】
実施の形態は、コンパクトディスク（ＣＤ）、スポーツ用具、アイウェア、宝石、ボトル等の物品にセキュリティタグを組み合わせる装置、システム及び方法に関する。例えば、１実施の形態は、施錠装置、セキュリティタグ及びハウジングを含んでなるセキュリティ装置を含むことができる。施錠装置は磁力作動のラッチと、この磁力作動のラッチをロック位置へ付勢するフレキシブル・エレメントと、ロック位置において磁力作動のラッチの少なくとも一部と噛み合うラッチはめ込み要素を含むことができる。ここに使用されるように、「ロック位置」は、磁力作動のラッチの一部又は全部が空隙の中に位置して前記ラッチはめ込み要素に係合され、接合され又は噛み合わされる位置のことをいう。ハウジング構造は、施錠装置と、セキュリティタグと、ラッチはめ込み要素と、物品をハウジングに部分的又は全体的に収納又は囲み、あるいは、ハウジングに固定するように構成される。施錠装置の磁力作動のラッチはロック位置においてラッチはめ込み要素に噛み合いハウジングをロックし、それにより、ハウジングに固定されているセキュリティタグを物品にロックする。ハウジングがロックされると、セキュリティ装置は、物品からハウジングを切り離すことを防止し又は抵抗する。別の実施の形態は、セキュリティ装置と、分離器（これは、磁石を含む装置とすることができる）を含むセキュリティシステムを含むことができる。分離器は、磁力作動のラッチを磁力によってロック位置から離すよう移動させることによってハウジングをアンロックするのに使われる。
【０００７】
明細書において「１実施の形態」又は「実施の形態」という場合、実施の形態に関して説明される特定の特徴、構造又は特性が少なくとも１実施の形態に含まれていることを意味することを喚起する必要があろう。明細書中の様々な箇所で「１実施の形態」といった場合、必ずしも、１つの同じ実施の形態のことではない。多数の特定の詳細が実施の形態の徹底的な理解を提供するためにここに詳しく説明される。しかしながら、実施の形態がこれらの特定の詳細なしで実施されうることは当業者によって理解される。他の例では、周知の方法、手順及び構成要素は、実施の形態をあいまいにしないように詳細には説明されていない。開示された特定の構造的機能的な詳細はここでの代表的例示であって、必ずしも実施の形態の範囲をそれに制限するとものではないのことが理解される。
【発明の実施例の詳細な説明】
【０００８】
ここで、図に関して詳細に説明するが、全体を通して同様の部品にはで同様の参照番号を用いている。図１は、１実施の形態によるセキュリティシステム１とセキュリティ装置２に含むことができる複数の構成要素を示す正面図である。この実施の形態では、セキュリティシステム１はセキュリティ装置２と分離器４０を含む。セキュリティ装置２は施錠装置１０、セキュリティタグ２０及びハウジング３０を含むことができる。
【０００９】
施錠装置１０を磁力作動の施錠装置とすることができ、それは磁力作動のラッチ１２、フレキシブル・エレメント１６及びラッチはめ込み要素１８を含むことができる。
【００１０】
磁力作動のラッチ１２は、ベース部端１３Ａ及び側面１３Ｂ，１３Ｃを含むベース部１３と；ラッチ部端１４Ａを含むラッチ部１４と；中心部１５を含むことができる。
【００１１】
磁力作動のラッチ１２は、ベース部１３の幅がラッチ部１４と中心部１５の幅と同じになるように、ほぼ正方形の形状であることができる。従って、ベース部１３の幅、即ち、側面１３Ｂと１３Ｃの間の距離が対応するラッチ部１４と中心部１５の幅と同である。他の実施の形態では、ベース部１３、ラッチ部１４及び中心部１５の幅を異なるようにすることができる。磁力作動のラッチ１２は一定の細長断面を有することができる。
【００１２】
しかしながら、磁力作動のラッチ１２を望み通りに構成することができ、１個以上のピースを含み、任意の点、線又は面に関して対称又は非対称とすることができる。例えば、様々な実施の形態では、磁力作動のラッチ１２を「Ｔ」型、「Ｉ」型、湾曲他の面とし、かつ、長方形、円形、厚い、空洞を持つ又は及び／又は非均一の断面形状を持つようにすることができ、あるいは、実施の形態の磁力作動のラッチ１１２、５１２、９１２及び１５１２に関してここで図示及び／又は説明されるようなものにすることができる。別の実施の形態では、磁力作動のラッチ１２のラッチ部端１４Ａは１つ以上の歯、リブ、ノッチ、ジャギー、ポイント、カーブ、空隙他の形状（磁力作動のラッチ１１２、５１２、９１２及び１５１２の実施の形態に関してここに示し及び／又は説明するもの）を含むことができ、また、ベース部端１３Ａを平坦又は他の形状とすることができる。さらに、ベース部端１３Ａを連続又は不連続にすることができる。ここに説明されるように、ラッチ部１４などの磁力作動のラッチ１２の少なくとも一部はラッチはめ込み要素１８に係合又は噛み合い、あるいは、それを受け又はそれに挿入されるように構成される。
【００１３】
１実施の形態では、セキュリティ装置２は複数の磁力作動のラッチ１２を含み、各ラッチは、セキュリティ装置２の同じ又は異なる部分で、フレキシブル・エレメント１６とラッチはめ込み要素１８と共に配置される。例えば、１実施の形態では、複数の磁力作動のラッチ１２はそれぞれ、例えば、物品を固定する部分、セキュリティタグ２０を固定する部分などのセキュリティ装置２の別の部分と協働して該部分をロックする。
【００１４】
磁力作動のラッチ１２は、鉄、ニッケル若しくはコバルト、又は、鉄、ニッケル若しくはコバルトの合金を含むことができ、あるいは、それから形成することができる。１実施の形態では、磁力作動のラッチ１２は、１個以上の磁性体を含むことができ、また、１個以上の非磁性体を含むことができる。実施の形態に関してここに示し及び／又は説明されるフレキシブル・エレメント１１６、５１６、９１６及び１５１６のように、フレキシブル・エレメント１６を望み通りに、立方体、だ円体、コイル他の形に形成することができ、また、フレキシブル・エレメントは１つ以上のピースを含むことができ、あるいは、磁力作動のラッチ１２に結合され、又はそれと一体的に形成される。１実施の形態では、フレキシブル・エレメント１６は、例えば、板バネのような片持ち梁アームとして形成される。フレキシブル・エレメント１６は、圧縮されたときに抵抗力を生じ、かつ、圧縮力が解放されたときに非圧縮形状を部分的又は完全に回復することができる軽くて、多孔性、半硬、弾性、ガスの及び／又はスポンジ状の材料を含むことができ、あるいは、そういった材料から形成される。例えば、様々な実施の形態では、フレキシブル・エレメント１６は、フォームラバー、ポリマー・フォーム、セラミックフォーム他の発泡材；ゴム；他の材料から形成され又はそれらを含むことができる。フレキシブル・エレメント１６はさらに、あるいは、代替的に、圧縮（圧迫）されたときに抵抗力を生じるように構成される。例えば、様々な実施の形態では、フレキシブル・エレメント１６をメタル、端部、セラミック及び／又は別の材料を含むコイル、板他の片持ち梁式アーム又はバネ他の部材として構成することできる。フレキシブル・エレメント１６の質量を様々にすることができる。
【００１５】
望まれるように、１つ以上の穴他の空隙、リブ、歯、突起又は他の形などを備えるようにラッチはめ込み要素１８を構成することができる。ラッチはめ込み要素１８は１個以上のピースを含むことができ、また、ここで説明するように、ハウジング３０から分離してあるいは、それと一体的に設けられる。ラッチはめ込み要素１８は、磁力作動のラッチ１２の少なくとも一部を受け又はそれに係合し、挿入され、若しくは噛み合うように構成される。例えば、磁力作動のラッチ１２が長方形の面を有する細長い部材である１実施の形態では、ここで説明されるように、ラッチはめ込み要素１８が空隙を有し、この空隙において、磁力作動のラッチ１２のラッチ部１４又は他の部分がロック位置に挿入されるように構成される。磁力作動のラッチ１２がラッチ部端１４Ａにおいて歯を有する１実施の形態では、ラッチはめ込み要素１８は、ロック位置において歯に噛み合うリブを備えるように構成される。セキュリティタグ２０をセキュリティタグやラベルなどの検出可能なデバイスやシステムとすることができる。例えば、様々な実施の形態では、セキュリティタグ２０をどんなタイプのＥＡＳタグ（例えば、無線周波（ＲＦ）タグ、音響磁気式タグ及び／又はそれらの組合せ）、無線周波識別（ＲＦＩＤ）タグ、スマートタグ又は他の検出可能な盗難防止用若しくは他のタグとすることができる。セキュリティタグ２０は、セキュリティタグ又はラベルのタイプに依存して、音響磁気式検出器、電磁検出器、無線周波検出器他の検出器等の対応する検出システム又は装置によって検出可能である。
【００１６】
図１の実施の形態において部分的に示されるハウジング３０は、施錠装置１０とセキュリティタグ２０を部分的又は全体的に収納し及び／又は囲い、覆い、取り付け、インターロックし、あるいは固定するケーシング他の構造とされ、施錠装置１０がロック位置にあるとき、ハウジングは物品にロックされる。ハウジング３０と施錠装置はこのように協働して物品をハウジング３０に固定又はロックし、従って、セキュリティ装置２をロックする。ハウジング３０を所望のように構成することができ、また、ここで説明される実施の形態のハウジング１３０、５３０、９３０及び１７３０のように、施錠装置１０、セキュリティタグ２０及びセキュリティタグ２０を取り付けるべき物品の形に基づいてハウジングを形作ることができる。ハウジング３０はラッチはめ込み要素１８を含むことができ、この要素１８をハウジング３０と一体的にすることとしてもよい。それに代えて、ハウジング３０とラッチはめ込み要素１８をペアにすることとしてもよい。ハウジング３０はポリマー及び/又は他の材料を含むことができる。
【００１７】
セキュリティ装置２に含まれる構成要素は、以下のセキュリティ装置の実施の形態に関して説明されるようにセキュリティ装置２が物品にロックするように設けられる。セキュリティタグ２を再使用可能に又は１回限りの使用とすることができる。
【００１８】
図１Ａ−１Ｄは、それぞれ、１実施の形態による図１に示される分離器４０の斜視図、平面部図、正面図及び側面図である。分離器４０は磁石４２を含み、それを収容する装置とされる。磁石４２は、例えば、永久磁石や電磁石などのどんなタイプの磁石であってもよい。セキュリティシステム１に関して、分離器４０をセキュリティ装置２と共に使用して、セキュリティ装置２を物品からアンロックすることができる。磁力作動のラッチ１２を磁力によってロック位置から遠ざけてセキュリティ装置２のハウジング３０をそれがロックされている物品から取り外すことを可能にするように、セキュリティ装置２の磁力作動のラッチ１２に適度に近くに分離器４０を位置させる。
【００１９】
様々な実施の形態では、分離器４０は異なった磁石４２を含むことができる。例えば、分離器４０の磁石４２は、磁力作動のラッチ１２をロック位置から遠ざかるように移動させ、それにより、セキュリティ装置２をアンロックするのに必要である磁力に基づいて選択される。この磁力は、該移動に対抗する力を相殺するよりも大きなものを必要とするだろう。そのような対抗力は、例えば。フレキシブル・エレメント１６が磁力作動のラッチ１２によって圧縮されるときに該エレメントによって供給される抵抗力、移動の際にハウジング３０及び／又は別の要素に接触する磁力作動のラッチ１２によってもたらされる摩擦力、他の力を含むことができるであろう。分離器４０が異なった構成を有し様々なセキュリティ装置に使用することを意図する別の実施の形態では、磁石４２は、アンロックするのに最も強い磁石を必要とするセキュリティ装置をアンロックできるくらい強い磁力を持つものが選択されるであろう。
【００２０】
１実施の形態では、セキュリティ装置２を１回の使用のための構成とすることができる。例えば、図１Ｅ及び１Ｆに示す１実施の形態では、セキュリティ装置２の磁力作動のラッチ１２は、ロック位置でラッチはめ込み要素１８に噛み合わせられるようにチャンネル３の中に置かれる。片持ち梁式アーム４，５などの１つ以上の板バネ他の片持ち梁式アームがバネ負荷構成でチャンネル３内に配置される。
【００２１】
例えば、片持ち梁式アーム４は、図１Ｅで示される非負荷位置を有する。片持ち梁式アームは、その側部４Ａがチャネル壁３Ａに隣接するようにある位置まで曲げられ、それにより、バネ負荷される。次に、磁力作動のラッチ１２を片持ち梁式アーム４の他側４Ｂに隣接させ、片持ち梁式アーム４の移動を防止しかつそのバネ負荷を保つように、チャンネル３内のロック位置に配置される。片持ち梁式アーム５を同様に置くことができる。磁力作動のラッチ１２が次に分離器４０によってロック位置から外れるように移動されると、片持ち梁式アーム４，５はもはや磁力作動のラッチ１２によって抑制されないで、バネ力により元に戻り、即ち、非負荷位置に戻る。この位置では、片持ち梁式アーム４，５はチャンネル３内に延伸して磁力作動のラッチ１２のベース部１３がそれらのアームを通過することを妨ぎ、磁力作動のラッチ１２はロック位置に戻ることができない。その結果、いかなる追加のセキュリティ装置をもってしても、それをもはやロックすることができない。
【００２２】
別の実施の形態では、片持ち梁式アーム４と５のうちの１つだけが含まれる。他の様々な実施の形態では、例えば、コイル他のスプリング、ゴム、発泡材などの他の弾性復元要素をチャンネル３内又はハウジングの他の部分に使用して、取り付けられているセキュリティ装置が二度使用されることを防ぐ。
【００２３】
図１Ｇ−１Ｊに示す別の実施の形態では、施錠装置部分及びハウジング部分は、磁力作動のラッチ１２がロック位置から外れるように移動されるたびに、磁力作動のラッチ１２がそれをロック位置に再配置可能となるようにリセットを要するように構成される。例えば、磁力作動のラッチ１２は、そのベース端１３Ａが凹み７に隣接するようにチャンネル６内に配置される。凹み７は、磁力作動のラッチ１２がロック位置から外れるように付勢されたときに、磁力作動のラッチ１２の少なくとも一部が凹み７内に落ち又は押し込まれるように構成される。凹みは、磁力作動のラッチ１２のロック位置への戻り運動を制限する壁８によって区画される。この実施の形態では、磁力作動のラッチ１２が配置されるセキュリティ装置は、使用のために、磁力作動のラッチ１２を凹みから外に移動させる磁石を使うなどにより「リセット」される。
【００２４】
図２−９は、１実施の形態による施錠装置１１０、セキュリティタグ１２０及びハウジング１３０を含む円形光ディスク（ＯＤ）セキュリティ装置１０２（又はその一部）を示す様々な斜視図である。ここで使用するように、用語「円形光ディスク（円形ＯＤ）」は、例えば、コンパクトディスク（ＣＤ）、読み出し専用コンパクトディス（ＣＤ−ＲＯＭ）、ミニＣＤ−ＲＯＭ、書き込み型コンパクトディス（ＣＤ−Ｒ）及び再書き込み型コンパクトディス（ＣＤ−ＲＷ）を含むいかなるタイプのコンパクトディスクと；例えば、ＤＶＤ、読み出し専用ＤＶＤ（ＤＶＤ−ＲＯＭ）、書き込み型ＤＶＤ（ＤＶＤ−Ｒ）、ハイデフィニッションＤＶＤ（ＨＤ−ＤＶＤ）を含むいかなるタイプのＤＶＤと；中心孔を持ち形状が少なくとも部分的に円柱状、あるいは、平坦であり円周を持ちＣＤ若しくはＤＶＤ又は先に述べたタイプのＣＤ若しくはＤＶＤのように形成されたその他の光ディスクであって、例えば、ブルーレイディスク（ＢＤ）、書き込み型ブルーレイディスク（ＢＤ−Ｒ）、再書き込み型ブルーレイディスク（ＢＤ−ＲＥ）、読み出し専用ブルーレイディスク（ＢＤ−ＲＯＭ）を含むもの；のことをいう。他の様々な実施の形態において、セキュリティ装置１０２（又はその一部）、施錠装置で１１０及びセキュリティタグ１２０は、非円形光ディスク、非光ディスク及び／又は様々な幾何学形状とサイズに形成された他の対象物等の他の物品に適合される。
【００２５】
図２−４に示す実施の形態のハウジング１３０は、少なくとも部分的に立方体のような外形を有し、少なくとも部分的に長方形の外面１３１を有し、また、少なくとも部分的に正方形の形状を持つことができる。様々な実施の形態において。ハウジング１３０は、少なくとも部分的にどんなタイプのＣＤ、ＤＶＤ、ＢＤのケースのような外形又は他の形状を有することができる。ハウジング１３０は、それぞれの施錠装置１１０、セキュリティタグ１２０及びハウジング１３０に取り付ける円形ＯＤである物品を部分的又は完全に収納し、囲い、取付け又は固定するように形成される。
【００２６】
例えば、図１１Ｃ−１１Ｅは、ハウジング１３０の１実施の形態の斜視図、平面図、左側面図、右側面図及び正面図をそれぞれ示す。ハウジング１３０は、図１１Ｂに示す外面１３１の寸法に比べて、図１１Ｃ−１１Ｅに示すように細長い厚みＴを有する。１実施の形態では、厚みＴは約１０．２７ｍｍであり、外面は側部寸法Ｓ１とＳ２（これらは、それぞれ、１４２．３３ｍｍと１２４．８６ｍｍである）を有する。この実施の形態におけるハウジング１３０は、少なくとも部分的にＣＤケース又は他の円形ＯＤケースに似た形に形成される。
【００２７】
図５−９は、円形ＯＤセキュリティ装置１０２の一部の実施の形態の斜視図である。図１０−１３は他の実施の形態の円形ＯＤセキュリティ装置１０２とその部分を示す図である。
【００２８】
最初に図６を言及すると、この図は、１実施の形態による施錠装置１１０を含む円形ＯＤセキュリティ装置１０２の一部を示す斜視図である。施錠装置１１０は磁力作動のラッチ１１２、フレキシブル・エレメント１１６及びラッチはめ込み要素１１８を含むことができる。
【００２９】
磁力作動のラッチ１１２は磁性体を含むことができ、また、図１の磁力作動のラッチ１２に関して説明したように１つ以上の材料を含むことができる。磁力作動のラッチ１１２はベース部１１３を含むことができ、ベース部１１３は、ベース部端１１３Ａ及びベース部側面１１３Ｂ，１１３Ｃと；ラッチ部端１１４Ａ（これはラッチはめ込み要素１１８と共に配置されるので、図６には示されていないが、図１０に示されている）を含むことができるラッチ部１１４と；中心部１１５を含むことができる。
【００３０】
磁力作動のラッチ１１２を「Ｔ」型のように形成することができる。したがって、ベース部側面１１３Ｂと１１３Ｃを平行とし、それぞれが少なくとも実際上まっすぐである。ベース部の側面１１３Ｂと１１３Ｃ間の距離であるベース部１１３の幅は、磁力作動のラッチが１１２の他の幅より広くすることができる。ベース部端１１３Ａを平坦にしかつベース部側面１１３Ｂ，１１３Ｃに対して実質的に垂直とすることができる。磁力作動のラッチ１１２は細長い厚みを持つように構成されうる。しかしながら、磁力作動のラッチ１１２は、図１に示された磁力作動のラッチ１２に関してここに説明されるように、別の様々な実施の形態として構成されうる。
【００３１】
フレキシブル・エレメント１１６を可撓性材料から作ることができ、あるいは、可撓性材料を含むことができ、あるいは、図１に示されたフレキシブル・エレメント１６に関してここで説明する材料を含むことができる。フレキシブル・エレメント１１６は、１実施の形態において、側部１１６Ａが側部１１６Ｂより広いほぼ立方形の形又は別の形を有するように構成される。他の様々な実施の形態では、フレキシブル・エレメント１１６は、図１の磁力作動のラッチ１２に関して上で説明したように、１つ以上の材料のコイル他のスプリング又は同様な部材で構成され、あるいは、それを含むことができる。さらに、１実施の形態では、フレキシブル・エレメント１１６は磁力作動のラッチ１１２と結合され、又はそれと一体的に形成される。１実施の形態では、フレキシブル・エレメント１１６は、例えば、板バネのように片持ち梁アームとして形成される。
【００３２】
以下で説明されるように、ラッチはめ込み要素１１８をハウジング１３０又はその一部と一体的に形成することとしてもよく、あるいは、分離した１つ又は複数のピースとすることができる。
【００３３】
図７と１２Ａは、それぞれ、１実施の形態による円形ＯＤセキュリティ装置１０２の以下に説明する底部ハウジング１５０と、セキュリティタグ１２０を示す斜視図である。図１２Ｂは、図１２Ａの底部ハウジング１５０の部分Ａの拡大図である。図７、１２Ａ、及び１２Ｂに言及し、セキュリティタグ１２０は細長いＥＡＳタグ又はラベルである。他の様々な実施の形態では、セキュリティタグ１２０は、図１に示されたセキュリティタグ２０に関してここに説明されるように、別のタイプ及び／又は形のセキュリティタグ又はラベルとされうる。エポキシの様な接着剤又は他の手段によりセキュリティタグ１２０を底部ハウジング１５０に取り付けることができる。他の様々な実施の形態において、セキュリティタグ１２０をＯＤ又は他の物品の様々な表面上若しくは表面内に配置又は取り付けることができる。
【００３４】
図２−１３のそれぞれの実施の形態において少なくとも部分的に示される円形ＯＤセキュリティ装置１０２のハウジング１３０はこの底部ハウジング１５０と、施錠装置カバー１８０と、セキュリティタグカバー１９０と、下カバー２００と、上カバー２０５を含むことができる。１実施の形態では、ハウジング１３０のこれらの構成要素の１つ以上を分離構成要素とすることができる。他の様々な実施の形態では、構成要素の１つ以上の各組合せは、１個のピース、又は、不可分に１個のピースとして統合して取り付けられた複数のピースを含むことができる。ハウジング１３０のこれらの各構成要素は、様々な実施の形態において、プラスチック、別の材料、又は材料の組合せから作られうる。これらの構成要素は、様々な実施の形態では、同じ若しくは異なった材料又は材料の組合せを含むことができる。
【００３５】
図５と１３Ａは、１実施の形態による、セキュリティタグカバー１９０（以下で説明される）と、底部ハウジング１５０を示す斜視図である。図１３Ｂは、図１３の底部ハウジング１５０の拡大部Ｂを示す。図５及び図１３Ａ−１３Ｂの実施の形態に言及し、底部ハウジング１５０は、底部ハウジング周辺壁１５０Ａ乃至１５０Ｄによって形成される長方形の外形を有することができる。底部ハウジング１５０は、セキュリティタグ容器１５２を含むベース１５１と；湾曲内壁１５４と；円形ＯＤはめ込み要素１５７及び空隙１５９を含む円形ＯＤベース容器１５６を含む。セキュリティタグ容器１５２を底部ハウジング周辺壁１５０Ａ及び１５０Ｄと、湾曲内部の壁１５４によって画成することができ、また、ここに説明されるように、細長いセキュリティタグ１２０と、セキュリティタグカバー１９０を受ける大きさに設けることができる。様々な実施の形態では、セキュリティタグ容器１５２の領域を大きくするためにハウジング周辺壁１５０Ａと１５０Ｃ及び／又は１５０Ｂと１５０Ｄを細長くし、より大きい及び／又は異なる大きさのセキュリティタグ１２０をセキュリティタグ容器１５２内に納めるようにすることができる。
【００３６】
円形ＯＤ容器１５６を底部ハウジング周辺壁１５０Ｂ乃至１５０Ｄの１つ以上と、かつ、できるだけ湾曲内壁１５４とも一体的にし、又は底部ハウジング１５０と堅固に結合することができる。
【００３７】
再び図６を参照して、この図は、また、底部ハウジング１５０の上部１６１の一部の実施の形態を示す斜視図である。上部１６１は、そこに磁力作動のラッチ１１２とフレキシブル・エレメント１１６を隣接して配置できるように構成される。その結果、磁力作動のラッチ１１２のベース部端１１３Ａがフレキシブル・エレメント１１６の近く又はそれに接して置かれる。上部１６１のそのような構成により、磁力作動のラッチ１１２とフレキシブル・エレメント１１６の動きは１つ以上の方向に制限される。
【００３８】
例えば、底部ハウジング１５０の上部１６１は、チャンネル端壁１６５、チャネル壁１６６，１６８及びチャネル壁１６６，１６８によって画定されかつチャンネル端壁１６５により有界であるチャンネル１６４を含む。チャネル壁１６６，１６８は互いにほぼ平行な部分を含み、ベース部側面１１３Ｂ，１１２Ｃにおいて、かつ、中央部１１５とラッチ部１１４の側部において、磁力作動のラッチ１１２に接触して又はその近くに置かれ、その結果、磁力作動のラッチ１１２の動きをチャンネル１６４に沿った実質的に直線方向の動きに制限する。他の様々な実施の形態では、磁力作動のラッチ１１２は回転と直線方向を組合せた方向他の方向に動くことができる。これらの他の様々な実施の形態では、チャンネル１６４、フレキシブル・エレメント１１６及びラッチはめ込み要素１１８の１つ以上は磁力作動のラッチ１１２をそういった方向に案内するような外形を持ち、形状とされ、あるいは、構成される。
【００３９】
フレキシブル・エレメント１１６をチャンネル端壁１６５に隣接して置き、磁力作動のラッチ１１２がロック位置から遠ざけられてフレキシブル・エレメント１１６に押しつけられたときに、磁力作動のラッチ１１２の力とチャンネル端壁１６５の抗力によりフレキシブル・エレメント１１６が圧縮されるように設けることができる。フレキシブル・エレメント１１６は、そのような圧縮、そのような磁力作動のラッチ１１２の動きに対して抗力を与える。
【００４０】
上で説明した様々な実施の形態の各々において、磁力作動のラッチ１１２を別の形で構成することができ、その場合、チャンネル１６４、及び、引いては、チャネル壁１６６と１６８をそのような磁力作動のラッチ１１２を収容してその動きを１つ以上の方向に制限するように構成することができる。これらの各実施の形態では、フレキシブル・エレメント１１６は、チャンネル１６４内に嵌め込まれるように構成されるだろう。
【００４１】
図１０は１実施の形態による円形ＯＤセキュリティ装置１０２の分解組立図を示す。この図１０と、再び図５を参照して、底部ハウジング１５０の上部１６１は円形ＯＤ容器１５６の上部を含むことができる。円形ＯＤ容器１５６の上部は、ＯＤはめ込み要素１５７と、盆地壁１７０と、盆地床１７１と、該盆地壁１７０及び盆地床１７１によって画定される盆地（ベースン、即ち、ＯＤを受ける窪み）１７２を含む。ＯＤはめ込み要素１５７は、底部ハウジング１５０と一体的に形成され空隙１５９を画定する１つ以上の片持ち梁式歯１５８を含む。複数の片持ち梁式歯１５８をプラスチックのような材料で作り、図示のごとく円形状に配列し、それらが内側に、即ち、空隙に向かって曲げられると弾性復元するように設けることができる。円形配列は、円形ＯＤ２５２の中央孔２５０などの円形ＯＤの中央孔の半径と同じか大きい半径を有する外側境界を形成することができる。したがって、円形ＯＤをそれらの片持ち梁式歯１５８の周りに配置して、締まりばめにより、該歯１５８、引いては、ＯＤはめ込み要素１５７に固定することができる。円形ＯＤを取り外すと、片持ち梁式歯１５８はそれらの曲げられる前の元の位置に戻る。１実施の形態では、片持ち梁式歯１５８の円形配列が円形ＯＤの中央孔の半径よりも小さい半径を有する外側境界を形成するように設けることができる。
【００４２】
他の様々な実施の形態では、ＯＤはめ込み要素１５７を締まりばめ、押しばめ又は他の手段により円形ＯＤの中央孔に係合する中実、中空又は歯を用いた、あるいは、その他の構造とすることができる。別の実施の形態では、円形ＯＤ容器１５６はＯＤはめ込み要素１５７を含まない。
【００４３】
円形ＯＤを盆地壁１７０に接触させ又は接触させることなく、盆地１７２に合わせることができるように、盆地１７２を十分大きく形成するために、盆地壁１７０を円形他の形状に構成することができる。
【００４４】
底部ハウジング１５０の上部はまた、溝壁１７４−１７７と、これらの溝壁によって画定される湾曲溝１７４Ａ−１７７Ａ（１７７Ａは見えないので、図１０には示されていない）を含むことができる。例えば、溝壁１７４が含まれ、これは湾曲溝１７４Ａを画定する。湾曲溝の１７４Ａに隣接して、溝壁１７４の内部を「Ｊ」や「Ｕ」型のように形成することができる。溝壁１７５−１７７を含み、湾曲溝１７５Ａ−１７７Ａを含むことができる。湾曲溝１７４Ａ−１７７Ａを同様に又はほぼ同じに形成することができる。溝壁１７４−１７７をそれぞれ盆地壁１７０上に置き又はそれと一体的にすることができ、また、それらの溝壁互いに離間させそこで光ＯＤを動かして盆地１７２に配置し又はそこから取り出すように設けることができる。
【００４５】
再び図１０と共に図６を参照して、底部ハウジング１５０の上部はまたラッチはめ込み要素１１８を含むことができる。ラッチはめ込み要素１１８を底部ハウジング１５０と一体的にして、チャネル壁１６６と１６８の間に延伸させ、そこから片持ち梁式に設けることができる。ラッチはめ込み要素１１８はラッチはめ込み要素壁１１８Ａを含み、これは、フード１１８Ｂと、端壁１１８Ｃと、ラッチはめ込み要素壁１１８Ａによって画定された凹み１１８Ｄとを有する。ラッチはめ込み要素壁１１８Ａは、凹み１１８Ｄが上で説明した１つ以上の湾曲溝１７４Ａ−１７７Ａのように形成されるように構成される。
【００４６】
ラッチ部１１４と、磁力作動のラッチ１１２は、ロック位置にあるとき、フード１１８Ｂの下で延伸して凹み１１８Ｄの中まで延伸することができる。１実施の形態では、ラッチ部１１４と、磁力作動のラッチ１１２は凹み１１８Ｄを横切って端壁に１１８Ｃまで延伸する。
【００４７】
ハウジング１３０はまた、図２−４及び１０の実施の形態で示される施錠装置カバー１８０を含むことができる。施錠装置カバー１８０は、フレキシブル・エレメント１１６と、磁力作動のラッチ１１２の露出部分のように、ラッチ１１２の少なくとも一部の上に置かれるように構成された構造を含む、例えば、図１０に示されるように、施錠装置カバー１８０は、チャンネル１６４内に配置された磁力作動のラッチ１１２の露出部分を囲むためにチャンネル１６４及び／又はチャネル壁１６６，１６８と協力するフード１８０Ａと側壁１８０Ｂ，１８０Ｃを含む。施錠装置カバー１８０は、溶接、ハンダ付け、のり（接着剤）付け、押しばめ（例えば、チャネル壁１６６，１６８と施錠装置カバー１８０がはめ込み突起と空隙で構成される）、締まりばめ他の結合手段により底部ハウジング１５０に固定される。固定されると、施錠装置カバー１８０は、磁力作動のラッチ１１２を底部ハウジング１５０から取り外すことを防ぎ又は困難にする。
【００４８】
再び図５と図１３Ａ−１３Ｂの実施の形態について言及し、ハウジング１３０はまた、セキュリティタグカバー１９０を含むことができる。セキュリティタグカバー１９０はセキュリティタグ１２０上に合うように構成されて、ハンダ付け、溶接、のり付け、テープ止め、機械的結合他の手段によりセキュリティタグ容器１５２内及び／又はセキュリティタグ１２０に固定される。
【００４９】
図８を参照して、この図は、１実施の形態による円形ＯＤセキュリティ装置１０２の下カバー２００を示す斜視図である。下カバー２００は、底部ハウジング１５０に固定されるように構成される。例えば、下カバー２００は、下カバー周辺壁２００Ａ乃至２００Ｄによって画定される角形とされ、かつ、下カバー周辺壁２００Ａ乃至２００Ｄを底部ハウジング１５０の底部ハウジング周辺壁１５０Ａ乃至１５０Ｄの周りに固定できるような大きさとされる。そのような固定は、押しばめ、接着剤、テープ止め及び／又は別の手段とすることができる。底部ハウジング１５０が異なる形状とされる実施の形態では、下カバー２００は、それが底部ハウジング１５０に固定されるような補足的形状とされる。
【００５０】
下カバー２００が底部ハウジング１５０に固定されているとき、セキュリティタグ１２０はそれにアクセスしたりそれを取り除いたりすることができないように包囲され、その中で固定される。
【００５１】
図９は、１実施の形態による円形ＯＤセキュリティ装置１０２の上カバー２０５を示す斜視図である。図２−４と図１０の実施の形態と共に図９を参照すると、ハウジング１３０はまた上カバー２０５を含むことができる。上カバー２０５は上カバーベース２０７を含むことができ、上カバーベース２０７を中実にし、上カバー壁２０９により有界となるように構成することができる。上カバーベース２０７と上カバー壁２０９を円形とし、それらの大きさを上カバー壁２０９の内半径が円形ＯＤの外半径より大きくなるように設けることができる。そのような場合、円形ＯＤが上で説明されるように底部ハウジング１５０の盆地１７２の中に配置されると、上カバーベース２０７と上カバー壁２０９は、それぞれ、円形ＯＤの上と周りに合って、円形ＯＤをハウジング１３０の中に囲むことになる。
【００５２】
上カバー２０５はさらに案内壁２１１乃至２１３を含むことができる。案内壁２１１−２１３を上カバー壁２０９から延伸させ、かつ、溝壁１７４−１７７と、ラッチはめ込み要素１１８（ラッチはめ込み要素壁１１８Ａを含む）と協働する形状とすることができる。例えば、１実施の形態では、案内壁２１１−２１３をそれぞれ湾曲リップ２１１Ａ−２１３Ａを有する「Ｌ」形に上カバー壁２０９から延伸させることができる。湾曲リップは実質的に上カバー壁２０９に平行である。したがって、上で説明したように、上カバー２０５が円形ＯＤの上と周りに合わされて円形ＯＤをハウジング１３０の中に囲むと、案内壁２１１−２１３の湾曲リップ２１１Ａ−２１３Ａは、上カバー２０５が回転されると、それぞれ湾曲溝１７４Ａ−１７７Ａと、底部ハウジング１５０の凹み１１８Ｄの中を摺動する。
【００５３】
上カバー２０５は。ラッチはめ込み要素１１８が案内壁２１２と２１３の間に置かれるように円形ＯＤ上かつ底部ハウジング１５０上に置かれる。この位置において、案内壁２１２，２１３の湾曲リップ２１２Ａ，２１３Ａはそれぞれ、底部ハウジング１５０の湾曲溝１７４Ａ，１７５Ａの中に少なくとも部分的に置かれる。磁力作動のラッチ１１２がフレキシブル・エレメント１１６によってラッチはめ込み要素１１８の凹み１１８Ｄ内のロック位置に付勢されるので、磁力作動のラッチは、湾曲リップ２１２Ａ，２１３Ａが凹み１１８Ｄを通って摺動することを妨げる。そのような構成は上カバー２０５の制限された回転のみを許容し、その制限された回転内で、湾曲リップ２１１Ａ−２１３Ａの少なくとも１つが湾曲溝１７４Ａ−１７７Ａ内に少なくとも部分的に置かれ、それにより、上カバー２０５を底部ハウジング１５０に固定することができる。別の１実施の形態では、湾曲リップ２１１Ａ−２１３Ａは、その制限された回転範囲内で湾曲リップ２１１Ａ−２１３Ａの少なくとも２つがそれぞれ、湾曲溝１７４Ａ−１７７Ａ内に少なくとも部分的に置かれ、上カバー２０５をさらに底部ハウジング１５０に固定するように構成される。
【００５４】
種々の別の実施の形態において、上カバー２０５を底部ハウジング１５０に固定する機構を例えば以下に述べる方法の１つ又は２つ以上とするように変更可能である。即ち、底部ハウジング１５０は、さまざまな大きさに設けられかつ／又はすべての溝壁１７４−１７７、引いては、湾曲溝１７４Ａ−１７７Ａより少ないものを含むことができ、あるいは追加溝壁と湾曲溝を含むこととしてもよい；底部ハウジング上カバー２０５は、さまざまな大きさに設けられかつ／又はすべての３つの案内壁２１１−２１３、引いては、湾曲リップ２１１Ａ−２１３Ａより少ないものを含むこととしてもよく；かつ／又は、底部ハウジング１５０の溝壁、溝、案内壁及びリップと、上カバー２０５の形状を変更することとしてもよい。このようにして、例えば、底部ハウジング１５０と上カバー２０５において溝壁、湾曲溝、案内壁及び湾曲リップの数とサイズを適当に構成して、上で説明されるように磁力作動のラッチ１１２がロック位置にあるときに、上カバー２０５を円形ＯＤセキュリティ装置１０２の底部ハウジング１５０に固定できるようにすることができる。
【００５５】
別の実施の形態において、円形ＯＤセキュリティ装置システムは円形ＯＤセキュリティ装置１０２と、分離器４０などの分離器を含む。フレキシブル・エレメント１１６が分離器４０と磁力作動のラッチ１１２の間に位置されるように分離器４０がセキュリティ装置１０２の磁力作動のラッチ１１２の近くに置かれると、分離器４０は磁力作動のラッチ１１２を磁力によってロック位置から外してフレキシブル・エレメント１１６に押し付ける。磁力がフレキシブル・エレメント１１６の圧縮力と、磁力作動のラッチ１１２のそのような動きに抵抗するいかなる他の力より大きい場合、磁力作動のラッチ１１２はロック位置から外される。そのような場合は、上カバー２０５はもはや全回転拘束を受けず、上カバー２０５は自由に回転することができる。したがって、上カバー２０５は、そのいずれの湾曲リップ２１１Ａ−２１３Ａのいかなる部分が底部ハウジング１５０の湾曲溝１７４Ａ−１７７Ａ内に位置することがなくなるまで回転するので、上カバー２０５が取り外され、底部ハウジング１５０の盆地１７２の中に配置された円形ＯＤをさらし出す。他の実施の形態として、上カバー２０５はヒンジ他の適当な構成により底部ハウジング１５０に回転可能に取り付けることとしてもよい。他の実施の形態では、上カバー２０５は、回転可能に固定され又は取り付けられるように、別の方法で固定され又は底部ハウジング１５０に固定されるだろう。この実施の形態において、解錠プロセスの間に、円形ＯＤセキュリティ装置１０２のいかなる部分も壊されないので、円形ＯＤセキュリティ装置１０２の再使用が可能である。
【００５６】
１実施の形態では、円形ＯＤセキュリティ装置１０２はＣＤを囲み又は含み、あるいは、そのように構成されて、ＣＤセキュリティ装置１０２と呼ばれる。この実施の形態において、ＣＤセキュリティ装置１０２は同様にいかなる他のタイプの円形ＯＤも囲み又は含み、あるいは、そのように構成されうる。ＣＤセキュリティ装置１０２はＥＡＳタグ、磁気機構及びいかなるタイプのＣＤも保持することができるだろう。このセキュリティ装置は、１実施の形態では、ＥＡＳ構成要素と、セキュリティ装置で囲まれ又はそれに取り付けられたいかなるタイプのＣＤを担持し、権限のない者がＣＤセキュリティ装置を取ってそれを持って店を出ることに抵抗し又はそれを防ぐことに利用される。１実施の形態では、このセキュリティ装置は底部ハウジング、ＥＡＳラベル、ＥＡＳラベルカバー、下カバー、ラッチ機構カバー、磁力作動のラッチ機構及び上カバーを含む。１実施の形態では、円形ＯＤセキュリティ装置１０２はこのセキュリティ装置を含むことができ、そこでは、施錠装置１１０が磁力作動のラッチ機構を含み、セキュリティタグ１２０がＥＡＳラベル又はタグを含み、ハウジング１３０が、それぞれ底部ハウジング１５０、セキュリティタグカバー１９０、下カバー２００、施錠装置カバー１８０及び上カバー２０５に対応する底部ハウジングと、ＥＡＳラベルカバーと、下カバーと、ラッチ機構カバーと、上カバーを含む複数の部分を含むことができる。
【００５７】
図１４−１９は、例えば、セキュリティ装置２などのセキュリティ装置に含むことができるハウジングと、施錠装置と、その他の要素の複数の実施の形態の例を示す斜視図である。
【００５８】
図１４−１５は、細長い要素を有する物品（例えば、眼鏡等）の保全に使われるセキュリティ装置５０２の実施の形態とその部分を示す斜視図である。セキュリティ装置５０２は、外側に弓状に張り出した側部５３４を備える部分的に長方形の形を有するハウジング５３０を含むことができる。セキュリティ装置５０２はトンネル５６０の中に眼鏡の脚を保全することができる。セキュリティ装置５０２は、少なくとも部分的に「Ｔ」型に形成された磁力作動のラッチ５１２、少なくとも部分的に立方形のフレキシブル・エレメント５１６及びセキュリティタグ５２０を含むことができる。
【００５９】
図１６−１７は、ケーブル９２２を備える物品の保全に使われるケーブル付きセキュリティ装置９０２の実施の形態とその部分を示す斜視図である。セキュリティ装置９０２は、短い「Ｉ」型又は小文字の「Ｉ」のように形成されたハウジング９３０を有し、それをケーブル９２２の少なくとも一部を受けるように構成することができる。セキュリティ装置９０２は衣服、財布他の物品等の様々な物品を保全することができる。セキュリティ装置９０２は歯９８１−９８３他の突起を有する磁力作動のラッチ９１２を含むことができる。ケーブル９２２はラッチはめ込み要素９１８を含むことができる。
【００６０】
図１８−１９は、ボトルセキュリティ装置１７０２の実施の形態とその部分を示す斜視図である。ボトルセキュリティ装置は、ワイン又はリキュールのボトルのようなボトルの口の周り及び首の少なくとも一部と合うように形成したハウジング１７３０を有することができる。セキュリティ装置１７０２は、例えば、歯とすることができる１つ以上の突起１５５１を有する磁力作動のラッチ１５１２を含むことができる。フレキシブル・エレメント１５１６は少なくとも部分的に長方形の外面を有する。セキュリティ装置１７０２は、の首の少なくとも一部の周りを締めつけてセキュリティ装置をボトルに固定するセキュリティベルト１７６０を含むことができる。
【００６１】
ここに説明されるように実施の形態のある特徴が示されているが、当業者であれば、多くの変更、代替（置換）、変形例及び同等物を考えることができる。したがって、添付の特許請求の範囲は、実施の形態の範囲に包含されるそのようなすべての変更や変化をカバーすることを意図するものである。
【図面の簡単な説明】
【００６２】
【図１】図１は１実施の形態によるセキュリティ装置とシステムの構成要素を示す図である。図１Ａは１実施の形態による分離器を示す斜視図である。図１Ｂは１実施の形態による分離器の平面図である。図１Ｃは１実施の形態による分離器の正面図である。図１Ｄは１実施の形態による分離器の側面図である。図１Ｅは１回の使用のために構成されたセキュリティ装置の一部を示す斜視図である。図１Ｆは１回の使用のために構成されたセキュリティ装置の一部を示す平面図である。図１Ｇは、リセット可能に構成されたセキュリティ装置の一部を示す斜視図である。図１Ｈは１回の使用のために構成されたセキュリティ装置の一部を示す斜視図である。図１Ｉは１回の使用のために構成されたセキュリティ装置の一部を示す平面図である。図１Ｊは１回の使用のために構成されたセキュリティ装置の一部を示す正面図である。
【図２】１実施の形態による円形の光ディスク（ＯＤ）セキュリティ装置の斜視図である。
【図３】１実施の形態による円形ＯＤセキュリティ装置の斜視図である。
【図４】１実施の形態による円形ＯＤセキュリティ装置の斜視図である。
【図５】１実施の形態による円形ＯＤセキュリティ装置のセキュリティタグカバーと底部ハウジングの斜視図である。
【図６】１実施の形態による施錠装置を含む円形ＯＤセキュリティ装置の一部を示す斜視図である。
【図７】１実施の形態による円形ＯＤセキュリティ装置の底部ハウジングとセキュリティタグを示す斜視図である。
【図８】１実施の形態による円形ＯＤセキュリティ装置の下カバーの斜視図である。
【図９】１実施の形態による円形ＯＤセキュリティ装置の上カバーの斜視図である。
【図１０】１実施の形態による円形ＯＤセキュリティ装置の分解組立図である。
【図１１】図１１Ａは１実施の形態による円形ＯＤセキュリティ装置のハウジングの斜視図である。図１１Ｂは１実施の形態による円形ＯＤセキュリティ装置のハウジングの平面図である。図１１Ｃは１実施の形態による円形ＯＤセキュリティ装置のハウジングの左側面図である。図１１Ｄは１実施の形態による円形ＯＤセキュリティ装置のハウジングの右側面図である。図１１Ｅは１実施の形態による円形ＯＤセキュリティ装置のハウジングの正面図である。
【図１２】図１２Ａは１実施の形態による円形ＯＤセキュリティ装置のセキュリティタグと底部ハウジングを示す斜視図である。図１２Ｂは図１２Ａの一部の拡大図である。
【図１３】図１３Ａは１実施の形態による円形ＯＤセキュリティ装置のセキュリティタグカバーと底部ハウジングを示す斜視図である。図１３Ｂは図１３Ａの一部拡大図である。
【図１４】１実施の形態によるトンネルを有するセキュリティ装置の斜視図である。
【図１５】１実施の形態によるトンネルを有するセキュリティ装置の一部を示す斜視図である。
【図１６】１実施の形態によるケーブルを有するセキュリティ装置の斜視図である。
【図１７】１実施の形態によるトンネルを有するセキュリティ装置の一部を示す斜視図。
【図１８】１実施の形態によるボトルセキュリティ装置の斜視図である。
【図１９】１実施の形態によるトンネルを有するセキュリティ装置の一部を示す斜視図である。
【図１】
2008523510.tif 000003
【図１Ａ】
2008523510.tif 000004
【図１Ｂ】
2008523510.tif 000005
【図１Ｃ】
2008523510.tif 000006
【図１Ｄ】
2008523510.tif 000007
【図１Ｅ】
2008523510.tif 000008
【図１Ｆ】
2008523510.tif 000009
【図１Ｇ】
2008523510.tif 000010
【図１Ｈ】
2008523510.tif 000011
【図１Ｉ】
2008523510.tif 000012
【図１Ｊ】
2008523510.tif 000013
【図２】
2008523510.tif 000014
【図３】
2008523510.tif 000015
【図４】
2008523510.tif 000016
【図５】
2008523510.tif 000017
【図６】
2008523510.tif 000018
【図７】
2008523510.tif 000019
【図８】
2008523510.tif 000020
【図９】
2008523510.tif 000021
【図１０】
2008523510.tif 000022
【図１１Ａ】
2008523510.tif 000023
【図１１Ｂ】
2008523510.tif 000024
【図１１Ｃ】
2008523510.tif 000025
【図１１Ｄ】
2008523510.tif 000026
【図１１Ｅ】
2008523510.tif 000027
【図１２Ａ】
2008523510.tif 000028
【図１２Ｂ】
2008523510.tif 000029
【図１３Ａ】
2008523510.tif 000030
【図１３Ｂ】
2008523510.tif 000031
【図１４】
2008523510.tif 000032
【図１５】
2008523510.tif 000033
【図１６】
2008523510.tif 000034
【図１７】
2008523510.tif 000035
【図１８】
2008523510.tif 000036
【図１９】
2008523510.tif 000037
【国際調査報告】
2008523510.tif 000038
2008523510.tif 000039
2008523510.tif 000040